(57)【要約】【課題】  設置作業が容易な冷蔵庫の送風ファン組立体を提供すること。【解決手段】  本発明による冷蔵庫の送風ファン組立体１００は、ファンモータ１２０と、前記ファンモータ１２０で駆動され、重力の反対方向に冷気の流動を形成する送風ファン１３０と、前記ファンモータ１２０と送風ファン１３０が設けられ、送風ファン１３０で形成された冷気の流動が貫通し、熱交換室を水平方向に区画するファンガイド１１０と、前記ファンガイド１１０の一側端の周縁に形成され、熱交換室１５８の背面壁に締付ねじ１１６ｓで締め付けられる取付レッグ１１５と、前記ファンガイド１１０に設けられ、前記取付レッグ１１５が設けられた反対側に形成され、前記熱交換室１５８の天井に係止される固定環１１７とで構成される。【選択図】      図１
2004317119.tif 000002
【特許請求の範囲】
【請求項１】
ファンモータと、
前記ファンモータで駆動され、重力の反対方向に冷気の流動を形成する送風ファンと、
前記ファンモータと送風ファンが設けられ、送風ファンで形成された冷気の流動が貫通し、熱交換室を水平方向に区画するファンガイドと、
前記ファンガイドの一側端の周縁に形成され、熱交換室の背面壁に締付ねじで締め付けられる取付レッグと、
前記ファンガイドに設けられ、前記取付レッグが設けられた反対側に形成され、前記熱交換室の天井に係止される固定環とを備えることを特徴とする冷蔵庫の送風ファン組立体。
【請求項２】
前記ファンガイドが、前記送風ファンで形成される気流が貫通する貫通孔が穿孔されている水平ベースと、前記水平ベースの両端に突設され、上端に前記固定環が設けられている垂直壁とを備えることを特徴とする請求項１に記載の冷蔵庫の送風ファン組立体。
【請求項３】
前記水平ベースには、貫通孔の周縁を取り囲む複数個の連結レッグが設けられ、前記連結レッグの先端には、前記ファンモータが安着されるモータ安着部が設けられていることを特徴とする請求項２に記載の冷蔵庫の送風ファン組立体。
【請求項４】
前記連結レッグのうち、前記取付レッグの取付方向の反対側に設けられた連結レッグには、熱交換室を区画するグリルパンに締め付けられる締付リブをさらに備えることを特徴とする請求項３に記載の冷蔵庫の送風ファン組立体。
【請求項５】
前記取付レッグの両端には、その長手方向に長く遮蔽壁が設けられていることを特徴とする請求項１に記載の冷蔵庫の送風ファン組立体。
【請求項６】
前記ファンガイドには、リードワイヤが係止される少なくとも１つのワイヤ係止部が一体で形成されていることを特徴とする請求項1に記載の冷蔵庫の送風ファン組立体。
【請求項７】
前記ワイヤ係止部が、
一端部が前記ファンガイドに連結され、内部にリードワイヤが安着される係止部と、
前記係止部へのリードワイヤの挿入をガイドし、先端に行くほどファンガイドの表面との距離が広くなるガイド部とを備えることを特徴とする請求項６に記載の冷蔵庫の送風ファン組立体。
【請求項８】
冷蔵庫本体の相対的に下方に冷凍室が形成され、相対的に上方に冷蔵室が形成され、少なくとも前記冷凍室の後方に別途に区画され、冷気を生成する熱交換室が備えられている冷蔵庫において、
ファンモータと、
前記ファンモータで駆動され、前記冷凍室と冷蔵室に供給される冷気の流動を形成する送風ファンと、
前記ファンモータと送風ファンが設けられ、送風ファンで形成された冷気の流動が貫通するファンガイドと、
前記ファンガイドの一側端の周縁に形成され、熱交換室の背面壁に締付ねじで締め付けられる少なくとも２つの取付レッグと、
前記ファンガイドに設けられ、前記取付レッグが設けられた反対側に形成され、前記熱交換室の天井に係止される固定環と、
前記ファンガイドに設けられ、前記ファンモータの駆動のための電気的信号を提供するリードワイヤが係止される少なくとも１つのワイヤ係止部とを備えることを特徴とする冷蔵庫の送風ファン組立体。
【請求項９】
前記ファンガイドが、前記送風ファンで形成される気流が貫通する貫通孔が穿孔され、前記取付レッグとワイヤ係止部が設けられた水平ベースと、前記水平ベースの両端に前記取付レッグの反対方向に突設され、上端に前記固定環が設けられている垂直壁とを備えることを特徴とする請求項８に記載の冷蔵庫の送風ファン組立体。
【請求項１０】
前記水平ベースには、貫通孔の周縁を取り囲む複数個の連結レッグが設けられ、前記連結レッグの先端には、前記ファンモータが安着されるモータ安着部が設けられていることを特徴とする請求項９に記載の冷蔵庫の送風ファン組立体。
【請求項１１】
前記連結レッグのうち、前記取付レッグの反対側に設けられた連結レッグには、熱交換室を区画するグリルパンに締め付けられる締付リブをさらに備えることを特徴とする請求項１０に記載の冷蔵庫の送風ファン組立体。
【請求項１２】
前記ワイヤ係止部が、
一端部が前記ファンガイドに連結され、内部にリードワイヤが安着される係止部と、
前記係止部へのリードワイヤの挿入をガイドし、先端に行くほどファンガイドの表面との距離が広くなるガイド部とを備えることを特徴とする請求項８に記載の冷蔵庫の送風ファン組立体。
【請求項１３】
ファンモータと、
前記ファンモータで駆動され、冷蔵庫本体に形成された冷凍室と冷蔵室に供給される冷気の流動を形成する送風ファンと、
前記ファンモータと送風ファンが設けられ、送風ファンで形成された冷気の流動が通過するファンガイドと、
前記ファンガイドに設けられ、前記ファンモータの駆動のための電気的信号を提供するリードワイヤが係止される少なくとも１つのワイヤ係止部とを備えることを特徴とする冷蔵庫の送風ファン組立体。
【請求項１４】
前記ファンガイドが、
前記熱交換室内に水平方向に設けられ、前記送風ファンで形成される気流が通過し、一側端の周縁に熱交換室に締め付けられる少なくとも２つの取付レッグが設けられている水平ベースと、
前記水平ベースの両端に前記取付レッグの反対方向に突設され、前記熱交換室の天井に係止される固定環が前記取付レッグを有する水平ベースの反対側の端部に該当する先端に形成される垂直壁とを備えることを特徴とする請求項１３に記載の冷蔵庫の送風ファン組立体。
【請求項１５】
前記水平ベースには、送風ファンで形成される冷気流動が通過する貫通孔が設けられ、前記貫通孔の周縁を取り囲む複数個の連結レッグが設けられ、前記連結レッグの先端には、前記ファンモータが安着されるモータ安着部が設けられていることを特徴とする請求項１４に記載の冷蔵庫の送風ファン組立体。
【請求項１６】
前記連結レッグのうち、前記取付レッグの反対側に設けられた連結レッグには、熱交換室を区画するグリルパンに締め付けられる締付リブをさらに備えることを特徴とする請求項１５に記載の冷蔵庫の送風ファン組立体。
【請求項１７】
前記ワイヤ係止部が、
一端部が前記ファンガイドに連結され、内部にリードワイヤが安着される係止部と、
前記係止部へのリードワイヤの挿入をガイドし、先端に行くほどファンガイドの表面との距離が広くなるガイド部とを備えることを特徴とする請求項１３に記載の冷蔵庫の送風ファン組立体。
【発明の詳細な説明】
【技術分野】
【０００１】
本発明は、冷蔵庫に関し、より詳しくは、熱交換室で生成した冷気を冷蔵庫内部の貯蔵空間へ伝達する送風ファン組立体に関する。
【背景技術】
【０００２】
図６は、一般の冷蔵庫の要部構成を示している。図示のように、冷蔵庫本体５１の内部には、上部から順に、冷蔵室５２と野菜室５３と冷凍室５４とが形成されている。前記冷蔵庫本体５１の後壁には、前記野菜室５３の中間高さから前方に突出した突出壁５５が設けられている。前記突出壁５５の下部には、冷気を生成する熱交換室５６が設けられ、その上部には、前記冷蔵室５２に冷気を供給するための冷気通路５７が設けられている。前記冷気通路５７と熱交換室５６を連通させるために、前記突出壁５５を上下に貫通して連通孔５５ａが穿孔されている。
【０００３】
前記熱交換室５６には、冷気を生成する蒸発器５８と、生成した冷気を前記野菜室５３や冷蔵室５２に伝達するための送風ファン組立体５９とが設けられている。前記熱交換室５６への部品の設置とメンテナンスのために、前記野菜室５３と冷凍室５４を区画する構成を２つの部品、即ち、第１の仕切り部（図示せず）と第２の仕切り部６０で構成する。前記第２の仕切り部６０を設置しなかった状態で、前記蒸発器５８や送風ファン組立体５９の設置またはメンテナンスが行われる。前記第２の仕切り部６０は、前記突出壁５５に連設されている。
【０００４】
前記突出壁５５の上部には、冷気通路５７の一方を構成し、前記冷気通路５７に通じる冷気の流動を制御するダンパー６１ａを有するダンパーアセンブリ６１が設けられている。前記ダンパーアセンブリ６１の上部には、前記冷蔵室５２側に前記冷気通路５７を形成するダクト形成部材６２が設けられている。
また、図７は、前記送風ファン組立体５９の構成を示している。ファンガイド５９ｇにファンモータ５９ｍが設けられ、このファンモータ５９ｍの出力軸に送風ファン５９ｆが設けられている。前記ファンガイド５９ｇは、その両端に締付孔５９ｈが設けられ、冷蔵庫本体５０の内側に締め付けられる。
【０００５】
しかし、上述した従来の技術では、以下のような問題点があった。
従来の技術による送風ファン組立体５９は、その設置とメンテナンスのための作業が極めて複雑である。これは、送風ファン組立体５９を別途に仮固定できる構成がないからである。即ち、作業者が冷蔵庫本体５１の冷凍室５４の内側壁に片手で送風ファン組立体５９を安着させ、他の手で前記締付孔５９ｈに工具で締付具を締め付けなければならないからである。特に、前記送風ファン組立体５９のファンガイド５９ｇの両端に締付孔５９ｈが設けられるため、その周辺部品との間に余裕空間を確保できず、締付具の締付と分離が困難となる。
【０００６】
また、前記送風ファン組立体５９は、前記締付孔５９ｈが前記冷蔵庫本体５１に取り付けられ、前記締付孔５９ｈの反対側は、片持ち梁の自由端部のように支持されていない。従って、送風ファン組立体５９の締付孔５９ｈの反対側が自重により垂れる問題点があった。これによって、前記送風ファン組立体５９により形成される気流が正確に形成されず、漏れるようになる問題点があった。
【０００７】
また、従来の技術では、その一端が前記ファンモータ５９に連結され、前記冷蔵庫本体５１の断熱層を通過して他端部が制御部に連結されており、前記ファンモータ５９に電源を印加するためのリードワイヤ（図示せず）が設けられている。しかし、前記リードワイヤが前記熱交換室５６内で別途の構成により固定または係止されていないため、一部がその自重により下方に垂れてしまい、前記蒸発器５８に接触する恐れがある。
【０００８】
このとき、前記蒸発器５８を形成する冷却フィンは、金属材質の薄板状であるため、その周縁が相対的に鋭い。このため、前記リードワイヤが前記蒸発器５８の冷却フィンに当接すると、絶縁被覆が損傷され、漏電が発生する恐れがあり、蒸発器５８によりその温度が低くなり、内部抵抗の増加による耐電圧が低くなる問題点があった。
【発明の開示】
【発明が解決しようとする課題】
【０００９】
本発明は、上記問題点に鑑みなされたものであり、設置作業が容易な冷蔵庫の送風ファン組立体を提供することを目的とする。
また、設置状態が堅固且つ正確になる冷蔵庫の送風ファン組立体を提供することを他の目的とする。
また、リードワイヤの損傷が防止されるように構成される冷蔵庫の送風ファン組立体を提供することをさらに他の目的とする。
【課題を解決するための手段】
【００１０】
上記の目的を達成するため、本発明の実施の形態による冷蔵庫の送風ファン組立体は、ファンモータと、前記ファンモータで駆動され、重力の反対方向に冷気の流動を形成する送風ファンと、前記ファンモータと送風ファンが設けられ、送風ファンで形成された冷気の流動が貫通し、熱交換室を水平方向に区画するファンガイドと、前記ファンガイドの一側端の周縁に形成され、熱交換室の背面壁に締付ねじで締め付けられる取付レッグと、前記ファンガイドに設けられ、前記取付レッグが設けられた反対側に形成され、前記熱交換室の天井に係止される固定環とで構成される。
【００１１】
また、前記ファンガイドが、前記送風ファンで形成される気流が貫通する貫通孔が穿孔された水平ベースと、前記水平ベースの両端に突設され、上端に前記固定環が設けられる垂直壁とで構成される。
また、前記水平ベースには、貫通孔の周縁を取り囲む複数個の連結レッグが設けられ、前記連結レッグの先端には、前記ファンモータが安着されるモータ安着部が設けられている。
【００１２】
また、前記連結レッグのうち、前記取付レッグの反対側に設けられた連結レッグには、熱交換室を区画するグリルパンに締め付けられる締付リブがさらに備えられている。
また、取付レッグの両端には、その長手方向に長く遮蔽壁が設けられている。
また、前記ファンガイドには、リードワイヤが係止される少なくとも１つのワイヤ係止部が一体で形成されている。
また、前記ワイヤ係止部が、一端部が前記ファンガイドに連結され、内部にリードワイヤが安着される係止部と、前記係止部へのリードワイヤの挿入をガイドし、先端に行くほどファンガイドの表面との距離が広くなるガイド部とで構成されている。
【００１３】
また、本発明の実施の形態による冷蔵庫の送風ファン組立体は、冷蔵庫本体の相対的に下方に冷凍室が形成され、相対的に上方に冷蔵室が形成され、少なくとも前記冷凍室の後方に別途に区画され、冷気を生成する熱交換室が備えられている冷蔵庫において、ファンモータと、前記ファンモータで駆動され、前記冷凍室と冷蔵室に供給される冷気の流動を形成する送風ファンと、前記ファンモータと送風ファンが設けられ、送風ファンで形成された冷気の流動が通過するファンガイドと、前記ファンガイドの一側端の周縁に形成され、前記熱交換室の背面壁に締付ねじで締め付けられる少なくとも２つの取付レッグと、前記ファンガイドに設けられ、前記取付レッグが設けられた反対側に形成され、前記熱交換室の天井に係止される固定環と、前記ファンガイドに設けられ、前記ファンモータの駆動のための電気的信号を提供するリードワイヤが係止される少なくとも１つのワイヤ係止部とで構成される。
【００１４】
また、前記ファンガイドが、前記送風ファンで形成される気流が貫通する貫通孔が穿孔され、前記取付レッグとワイヤ係止部が設けられた水平ベースと、前記水平ベースの両端に前記取付レッグの反対方向に突設され、上端に前記固定環を有する垂直壁とを備えている。
また、前記水平ベースには、貫通孔の周縁を取り囲む複数個の連結レッグが設けられ、前記連結レッグの先端には、前記ファンモータが安着されるモータ安着部が設けられている。
【００１５】
また、前記連結レッグのうち、前記取付レッグの反対側に設けられた連結レッグには、熱交換室を区画するグリルパンに締め付けられる締付リブがさらに備えられている。
前記ワイヤ係止部が、一端部が前記ファンガイドに連結され、内部にリードワイヤが安着される係止部と、前記係止部へのリードワイヤの挿入をガイドし、先端に行くほどファンガイドの表面との距離が広くなるガイド部とで構成されている。
また、本発明の実施の形態による冷蔵庫の送風ファン組立体は、ファンモータと、前記ファンモータで駆動され、冷蔵庫本体に形成された冷凍室と冷蔵室に供給される冷気の流動を形成する送風ファンと、前記ファンモータと送風ファンが設けられ、送風ファンで形成された冷気の流動が通過するファンガイドと、前記ファンガイドに設けられ、前記ファンモータの駆動のための電気的信号を提供するリードワイヤが係止される少なくとも１つのワイヤ係止部とで構成される。
【００１６】
また、前記ファンガイドが、前記熱交換室内に水平方向に設けられ、前記送風ファンで形成される気流が通過し、一側端の周縁に熱交換室に締め付けられる少なくとも２つの取付レッグが設けられる水平ベースと、前記水平ベースの両端に前記取付レッグの反対方向に突設され、前記熱交換室の天井に係止される固定環が、前記取付レッグが設けられた水平ベースの反対側の端部に該当する先端に形成される垂直壁とで構成される。
また、前記水平ベースには、送風ファンで形成される冷気流動が通過する貫通孔が設けられ、前記貫通孔の周縁を取り囲む複数個の連結レッグが設けられ、前記連結レッグの先端には、前記ファンモータが安着されるモータ安着部が設けられる。
【００１７】
また、前記連結レッグのうち、前記取付レッグの反対側に設けられた連結レッグには、熱交換室を区画するグリルパンに締め付けられる締付リブがさらに備えられている。
また、前記ワイヤ係止部が、一端部が前記ファンガイドに連結され、内部にリードワイヤが安着される係止部と、前記係止部へのリードワイヤの挿入をガイドし、先端に行くほどファンガイドの表面との距離が広くなるガイド部とで構成されている。
このような構成を有する本発明による冷蔵庫の送風ファン組立体は、その着脱作業が容易であり、設置状態が堅固であり、リードワイヤの損傷を防止することができる。
【発明の効果】
【００１８】
本発明によると、組立作業時に仮固定が可能であり、作業者の一人でも容易に取付または分離作業を行うことができる。また、取付レッグの取付のための締付ねじの締付と解除作業のための工具の作業空間が十分に確保され、取付または分離の作業性が向上する。
また、熱交換室の背面壁に取付レッグが取り付けられた状態で、その反対側の端部の固定環が熱交換室の天井に係止されるので、ファンガイドをより堅固に、且つ水平ベースを正確に水平になるように取り付けることができる。特に、前記取付レッグが設けられた反対側のグリルパンと連結レッグの締付リブが互いに締め付けられるので、水平ベースの締付状態がより正確且つ堅固になる効果がある。
【００１９】
これにより、前記送風ファン組立体により形成される気流が正確に形成され、冷気が冷蔵室と冷凍室により正確に伝達され、冷気の漏れが発生しないようになる。
また、リードワイヤが係止されるワイヤ係止部がファンガイドに形成され、リードワイヤが垂れないように係止する。従って、リードワイヤが熱交換室内で蒸発器に接触して損傷し、または蒸発器の低温により耐電圧が減少することを防止することができる。
【発明を実施するための最良の形態】
【００２０】
以下、本発明の好ましい実施の形態を、添付図面に基づいて詳しく説明する。
図１は、本発明の実施の形態による冷蔵庫の送風ファン組立体を示す斜視図であり、図２は、本発明の実施の形態による冷蔵庫の送風ファン組立体を示す側面図であり、図３は本発明の実施の形態による冷蔵庫の送風ファン組立体を示す平面図であり、図４は、本発明の実施の形態による冷蔵庫の送風ファン組立体が熱交換室内に設けられた状態を示す断面図である。
【００２１】
図１〜図４に示すように、この実施の形態による送風ファン組立体１００は、ファンガイド１１０とファンモータ１２０と送風ファン１３０とで構成されている。前記送風ファン組立体１００は、熱交換室１５８の内部に設けられ、冷気を貯蔵空間の内部に伝達するものである。この実施の形態による送風ファン組立体１００は、特に、重力方向の反対方向に冷気を移送させる。
【００２２】
前記ファンガイド１１０は、前記熱交換室１５８の内部に前記ファンモータ１２０と送風ファン１３０を支持し、熱交換室１５８を水平方向に区画するものである。前記ファンガイド１１０には、熱交換室１５８内に水平方向に設けられる水平ベース１１１が設けられている。前記水平ベース１１１は、略板状であり、その中央に貫通孔１１２が穿孔されている。前記貫通孔１１２は、前記送風ファン１３０により冷気が通過する経路となる。
【００２３】
前記水平ベース１１１の両端には、垂直壁１１３が設けられている。前記垂直壁１１３は、水平ベース１１１から所定高さの位置に突設されている。前記水平ベース１１１の貫通孔１１２の周縁から前記垂直壁１１３の反対方向に延長されるように、複数個の連結レッグ１１４が設けられている。前記複数個の連結レッグ１１４の先端にそれぞれ連結されるように、モータ安着部１１４’が設けられている。前記モータ安着部１１４’は、前記貫通孔１１２の中心に対応する位置に設けられている。
【００２４】
前記水平ベース１１１には、さらに取付レッグ１１５が設けられている。前記取付レッグ１１５は、前記垂直壁１１３の反対方向に突設されている。前記取付レッグ１１５は、前記ファンガイド１１０を熱交換室１５８の背面壁に取り付けるためのものであり、前記水平ベース１１１の一側端の周縁に少なくとも２つが設けられる。前記取付レッグ１１５は、前記水平ベース１１１の下面に延設されている。前記取付レッグ１１５には、その両端に沿って上下に遮蔽壁１１５’が設けられている。前記遮蔽壁１１５’は、締付ねじ１１６ｓの締付のための工具を操作するのに十分な空間を確保する役割をする。
【００２５】
前記取付レッグ１１５には、取付孔１１６が穿孔されている。前記取付孔１１６は、熱交換室１５８の背面壁を構成するインナーケース１５２に締め付けられる締付ねじ１１６ｓが貫通する部分である。
また、前記垂直壁１１３の上端には、固定環１１７が設けられている。前記固定環１１７の先端には、係止段１１８が垂直方向に突出されている。前記係止段１１８は、前記取付レッグ１１５に取付孔１１６が設けられる方向の反対方向に水平ベース１１１に対し略平行になるように延長される。前記固定環１１７の係止段１１８は、後述する係止孔１５９に係止される部分である。
【００２６】
前記連結レッグ１１４のうち、一方には締付リブ１１９が設けられている。前記締付リブ１１９は、後述するグリルパン１６０と締め付けられる部分である。前記締付リブ１１９は、前記固定環１１７の係止段１１８が延長される方向から見えるほうの連結レッグ１１４に設けられる。
前記ファンモータ１２０は、前記モータ安着部１１４’に取り付けられ、前記ファンモータ１２０の回転軸には送風ファン１３０が設けられている。前記送風ファン１３０は、前記貫通孔１１２と対応する位置に設けられる。前記送風ファン１３０は、前記ファンモータ１２０で駆動され、冷気を貯蔵空間に伝達するようになる。
【００２７】
前記水平ベース１１１には、前記取付レッグ１１５の突設面にワイヤ係止部１４０が設けられる。前記ワイヤ係止部１４０は、前記ファンモータ１２０の駆動のための電気的信号が印加されるリードワイヤ１４５が係止される部分である。前記ワイヤ係止部１４０は、この実施の形態において、水平ベース１１１の両端に設けられているが、これに限定されず、いずれか一方にのみ設けられてもよい。
【００２８】
前記ワイヤ係止部１４０は、前記水平ベース１１１と一体で形成され、リードワイヤ１４５の一側が収容され、実質的に係止される係止部１４１と、前記係止部１４１の内部にリードワイヤ１４５をガイドするガイド部１４３とで構成される。前記ガイド部１４３は、その先端に行くほど前記水平ベース１１１から離れる方向に傾斜して延設される。これは、リードワイヤ１４５を前記係止部１４１に容易に挿入させるためである。さらに、前記リードワイヤ１４５は、冷蔵庫の制御部と一端部が連結されるものであり、断熱層１５４にその中間部分が埋没されており、他端部がインナーケース１５２を貫通して熱交換室１５８の内部に延長されている。
【００２９】
以下、前記送風ファン組立体１３０が冷蔵庫本体１５０の内部に設けられることについて説明する。
冷蔵庫本体１５０の外面をアウトケース１５１が形成し、内面をインナーケース１５２が形成するが、これらの間には断熱層１５４が設けられている。前記冷蔵庫本体１５０の内部には、貯蔵空間である冷凍室１５６が形成されている。前記冷凍室１５６は、前記冷蔵庫本体１５０の相対的に下方に設けられる。前記冷蔵庫本体１５０の相対的に上方には冷蔵室が設けられ、設計条件によっては、冷蔵室と別途の野菜室が設けられてもよい。
【００３０】
前記冷凍室１５６の後方には、熱交換室１５８がグリルパン１６０で区画されて形成されている。前記熱交換室１５８の背面壁（冷凍室１５６の前方からみて、熱交換室１５８の後面に該当する部分）を形成するインナーケース１５２には、前記取付レッグ１１５の取付のための締付孔が穿孔されている。前記熱交換室１５８の天井に該当するインナーケース１５２には、図４に示すように、係止孔１５９が設けられている。前記係止孔１５９の形成部分は、前記インナーケース１５２が断熱層１５４の内部に入るように形成される凹溝１５９’である。
【００３１】
前記グリルパン１６０の相対的に上方には、熱交換室１５８と冷凍室１５６を連通させ、熱交換室１５８で形成された冷気を冷凍室１５６に伝達させる吐出孔１６１が設けられている。前記グリルパン１６０の下部には、吸込部１６１’が設けられる。前記吸込部１６１’は、前記冷凍室１５６を循環した冷気が熱交換室１５８に帰還する部分である。
前記熱交換室１５８の内部には、蒸発器１６２が設けられている。前記蒸発器１６２は、熱交換サイクルの作動流体と空気との間に熱交換により冷気が生成する部分である。
【００３２】
以下、このような構成を有する本発明による冷蔵庫の送風ファン組立体の作用について詳述する。
まず、この実施の形態の送風ファン組立体１００を前記熱交換室１５８の内部に設置することについて説明する。勿論、前記送風ファン組立体１００は、ファンモータ１２０と送風ファン１３０が既にファンガイド１１０に組み立てられている状態である。
【００３３】
前記グリルパン１６０が設置されなかった状態で、前記熱交換室１５８の相対的に上方に送風ファン組立体１００を位置させる。このとき、前記ファンガイド１１０の固定環１１７の係止段１１８を前記係止孔１５９に係止させることにより、送風ファン組立体１００を仮固定する。
この状態で、前記取付レッグ１１５の取付孔１１６を貫通して、締付ねじ１１６ｓを前記インナーケース１５２に設けられた締付孔に締め付ける。このとき、前記取付レッグ１１５の両端に設けられた遮蔽壁１１５’の間に工具を位置させ、締付ねじ１１６ｓを締め付ける。
【００３４】
次に、前記熱交換室１５８の内部に端部が突出するリードワイヤ１４５の一側を前記ワイヤ係止部１４０に係止する。即ち、前記ガイド部１４３と水平ベース１１１の間に沿ってリードワイヤ１４５を挿入し、前記係止部１４１に係止させる。勿論、前記送風ファン組立体１００の仮固定状態で前記リードワイヤ１４５をワイヤ係止部１４０に係止することもできる。このように、リードワイヤ１４５がワイヤ係止部１４０に係止されると、リードワイヤ１４５が垂れることがなく、蒸発器１６２との接触により損傷することが防止される。
【００３５】
前記熱交換室１５８の内部への部品の設置が完了すると、前記グリルパン１６０を設置する。前記グリルパン１６０を前記冷凍室１５６の内部に設置し、熱交換室１５８と冷凍室１５６を区画する。また、前記締付リブ１１９に前記グリルパン１６０を貫通して締付ねじを締め付ける。
次に、この実施の形態の送風ファン組立体１００により冷気が冷蔵室と冷凍室１５６に供給されることについて説明する。
【００３６】
冷蔵庫の熱交換サイクルが動作すると、前記蒸発器１６２に作動流体が供給されて熱交換が行われ、冷気が生成する。
前記冷気は、前記送風ファン組立体１００の駆動により流動される。即ち、前記送風ファン１３０が回転すると共に、前記蒸発器１６２で形成された冷気を上部に吸い上げる。前記送風ファン１３０を通過した冷気は、前記グリルパン１６０の吐出孔１６１または前記熱交換室１５８の天井を貫通して設けられている冷気流路により冷蔵室などに伝達される。
【００３７】
また、前記冷凍室１５６の内部を循環した冷気は、前記吸込部１６１’を通じて前記熱交換室１５８に流動され、前記熱交換室１５８の蒸発器１６２を下部から上部に貫通しながら熱交換される。勿論、前記冷蔵室を循環した冷気も、前記冷蔵庫本体１５０の内部から前記熱交換室１５８の下部側に連通した帰還流路（図示せず）を通じて伝達され熱交換される。前記蒸発器１６２で熱交換されて生成した冷気は、さらに前記送風ファン組立体１００により冷蔵庫の内部を循環する。
【００３８】
このような本発明の基本的な技術的思想の範囲内で、当業界の通常の知識を有する者であれば、他の多くの変形が可能なことは勿論であり、本発明の権利範囲は特許請求の範囲に基づいて解釈されるべきである。
【図面の簡単な説明】
【００３９】
【図１】本発明の実施の形態による冷蔵庫の送風ファン組立体を示す斜視図である。
【図２】本発明の実施の形態による冷蔵庫の送風ファン組立体を示す側面図である。
【図３】本発明の実施の形態による冷蔵庫の送風ファン組立体を示す平面図である。
【図４】本発明の実施の形態による冷蔵庫の送風ファン組立体が熱交換室内に設けられた状態を示す断面図である。
【図５】本発明の実施の形態を構成するワイヤ係止部を示す断面図である。
【図６】一般の冷蔵庫の要部構成を示す側断面図である。
【図７】従来の技術による熱交換室の側断面図である。
【符号の説明】
【００４０】
１００…送風ファン組立体
１１０…ファンガイド
１１１…水平ベース
１１２…貫通孔
１１３…垂直壁
１１４…連結レッグ
１１７…固定環
１１８…係止段
１１９…締付リブ
１２０…ファンモータ
１３０…送風ファン
１４０…ワイヤ係止部
１４１…係止部
１４３…ガイド部
１４５…リードワイヤ
１５０…冷蔵庫本体
１５６…冷凍室
１５８…熱交換室
１６０…グリルパン
１６１…吐出孔
１６２…蒸発器
【図１】
2004317119.tif 000003
【図２】
2004317119.tif 000004
【図３】
2004317119.tif 000005
【図４】
2004317119.tif 000006
【図５】
2004317119.tif 000007
【図６】
2004317119.tif 000008
【図７】
2004317119.tif 000009